(57)【要約】【課題】液流量を大幅に調節しても噴霧角度が変動しないスプレーノズルを提供する。【解決手段】ノズル本体の中心軸線に沿った主流路の噴射側の中心に噴射側前端に向けて細くなる円錐形状の主孔を連通して設けると共に、該主孔の幅方向の両側に一対の副孔を前記主流路および前記主孔と連通させて設け、該副孔は長孔形状とし、これら両側の副孔の前記主孔を挟んで対向する長辺側部分と前記主孔の両側部分とを連通させ、主孔の後端径（Ｄ１）に対して前記副孔の長寸径（Ｄ２）の比をＤ１:Ｄ２＝１:０７〜１:１.２とし、前記ノズル本体の噴射側端面に前記副孔の長寸方向と同方向の直径方向に切り込みを入れ、該切り込みで前記主孔の先端円弧部を切り欠いて噴口を設けている。【選択図】図１
2016007602.tif 000002
【特許請求の範囲】
【請求項１】
ノズル本体の中心軸線に沿った主流路の噴射側の中心に噴射側前端に向けて細くなる円錐形状の主孔を連通して設けると共に、該主孔の幅方向の両側に一対の副孔を前記主流路および前記主孔と連通させて設け、
該副孔は長孔形状とし、これら両側の副孔の前記主孔を挟んで対向する長辺側部分と前記主孔の両側部分とを連通させ、主孔の後端径（Ｄ１）に対して前記副孔の長寸径（Ｄ２）の比をＤ１:Ｄ２＝１:０．７〜１:１.２とし、
前記ノズル本体の噴射側端面に前記副孔の長寸方向と同方向の直径方向に切り込みを入れ、該切り込みで前記主孔の先端円弧部を切り欠いて噴口を設けていることを特徴とするスプレーノズル。  
【請求項２】
前記ノズル本体の主流路に、水からなる液体と圧縮空気からなる気体の気液混合流体を導入し、
前記主孔は断面円形とすると共に、前記副孔は断面長円形状とし、
前記主孔の後端径Ｄ１に対して前記副孔の短寸径Ｄ３の比Ｄ１:Ｄ３＝１:０.３〜１:０.７、
前記副孔の短寸径Ｄ３に対する副孔の長寸径Ｄ２の比Ｄ３:Ｄ２＝１:１.５〜１:２.５
に設定している請求項１に記載のスプレーノズル。
【請求項３】
一定量の圧力空気に対する液体流量を１：４０の範囲で変動した状態で、噴霧角度の変動角度を５度以下としている請求項１または請求項２に記載のスプレーノズル。
【請求項４】
前記ノズル本体を、整流板を設けた気液混合流体供給管の先端側に一体的または接続して設け、前記気液混合流体供給管の基端側に液体供給管と気体供給管とを直交方向に接続し、
前記整流板により前記ノズル本体の中心軸線と平行な分流路を設けている請求項１乃至請求項３のいずれか１項に記載のスプレーノズル。
【発明の詳細な説明】
【技術分野】
【０００１】
本発明はスプレーノズルに関し、詳しくは、連続鋳造装置の二次冷却帯に連続的に引き出される鋳片に対して冷却水を噴霧するノズルとして好適に用いられるものであり、特に、冷却水の噴霧量を変えても噴角変動が少なく均等な流量分布と打力分布が得られ、冷却ムラの発生を防止できるノズルに関するものである。
【背景技術】
【０００２】
この種のスプレーノズルとして、本出願人は特許第２７１９０７３号公報で図９（Ａ）〜（Ｃ）に示すノズル１００を提供している。該ノズル１００はノズル本体１０１の中心軸線Ｌに沿って水と圧縮空気との気液混合流路となる主孔１０２を設けている。該主孔１０２の下孔部１０２ａの円弧形状とした噴射側先端をノズル本体１０１の噴射側端面１０１ｆに近接して形成し、該噴射側端面１０１ｆに設ける直径方向の切り込み１０４を下孔部１０２ａの噴射側先端部と連通させて長円形状の噴口１０５を設けている。かつ、前記下孔部１０２ａの幅方向両側に断面円形の副孔１０６、１０７を設けている。 
【０００３】
前記ノズル１００は、主孔１０２の両側に副孔１０６、１０７を設けることで、これら副孔１０６、１０７から主孔１０２の両側に流れ込む気液混合流体を主孔１０２の中心軸線Ｌに沿って流れる気液混合流体に衝突させて、気液混合を促進し、噴霧の均質化を図っている。これにより、水流量を低流量としても噴霧角度を広げることができる一方、水流量を高流量とした場合に噴霧角度の広がりを抑え、水の供給量を変えても噴霧角度を略均一に保持できるようにしている。
その結果、圧縮空気の一定供給量に対する水の供給量を変化させても、噴霧角度範囲、流量分布、打力分布および粒子径を均等に保持し、冷却ムラを発生させずに制御できるターンダウン比を１：２０と広げている。例えば、圧縮空気の一定供給量０．４ＮＬ／ｍｉｎに対して水供給量を２リットル〜４０リットル／ｍｉｎの範囲で制御できるようにしている。このように、ターンダウン比を広げることにより、冷却水量を多く必要とする二次冷却帯の上流領域から冷却水量が少なくてよい下流領域にかけて同一のノズルを用いて冷却することができると共に、鋳片の厚さが相違しても同一のノズルで対応できるものとしている。
【先行技術文献】
【特許文献】
【０００４】
【特許文献１】特許第２７１９０７３号公報
【発明の概要】
【発明が解決しようとする課題】
【０００５】
特許文献１のノズルは、それ迄のターンダウン比１：１０を２倍の１：２０に広げているが、更に鋳片の多様な厚さ等に対応できるように、ターンダウン比を広い範囲とすることが求められている。また、低水量時の噴霧角度は高水量時の噴霧角度と比べて安定しないため、ターンダウン比を広い範囲としながら、低水量時に噴霧角度を安定化させることも求められている。
【０００６】
よって、本発明は、ターンダウン比を１：２０より大きな範囲としながら、低水量時の噴霧角度を高水量時の噴霧角度と同等に安定して保持できるノズルを提供することを課題としている。
【課題を解決するための手段】
【０００７】
前記課題を解決するため、本発明は、ノズル本体の中心軸線に沿った主流路の噴射側の中心に噴射側前端に向けて細くなる円錐形状の主孔を連通して設けると共に、該主孔の幅方向の両側に一対の副孔を前記主流路および前記主孔と連通させて設け、
該副孔は長孔形状とし、これら両側の副孔の前記主孔を挟んで対向する長辺側部分と前記主孔の両側部分とを連通させ、該主孔の後端径（Ｄ１）に対して前記副孔の長寸径（Ｄ２）の比をＤ１:Ｄ２＝１:０．７〜１:１.２とし、
前記ノズル本体の噴射側端面に前記副孔の長寸方向と同方向の直径方向に切り込みを入れ、該切り込みで前記主孔の先端円弧部を切り欠いて噴口を設けていることを特徴とするスプレーノズルを提供している。  
【０００８】
前記ノズル本体の主流路に、水からなる液体と圧縮空気からなる気体の気液混合流体を導入し、
前記主孔は断面円形とすると共に、前記副孔は断面長円形状とし、
前記主孔の後端径Ｄ１に対して前記副孔の短寸径Ｄ３の比Ｄ１:Ｄ３＝１:０.３〜１:０.７、
前記副孔の短寸径Ｄ３に対する副孔の長寸径Ｄ２の比Ｄ３:Ｄ２＝１:１.５〜１:２.５
に設定していることが好ましい。
【０００９】
また、前記噴口は長円形とし、該噴口の長さ方向の両端に前記噴射側端面の外周端に向けて次第に広がるガイド凹部を延在させることが好ましい。
【００１０】
前記のように、主孔の両側に設ける副孔を断面長円形状とし、両側の副孔の対向側の長辺側部分を主孔の両側にそれぞれ連続させると、副孔と主孔とのラップ部分の面積を増大できる。このラップ部分で副孔から主孔に流入する気液混合流体と主孔内を噴口に向かって直進する気液混合流体とが衝突して撹拌が生じる。
副孔を従来の断面円形にした場合と比較して、副孔を断面長円とすると主孔とのラップ面積が増大し、言い換えると、撹拌部分の面積が増大し、該撹拌により気液混合流体の均質化を促進できる。よって、液体流量が大きく変動しても、前記撹拌による気液均質化で、噴口から噴射される気液混合流体の噴霧角度の変動を少なくでき、均等な流量分布と打力分布を得ることができる。
【００１１】
前記構成として、断面長円形状の副孔を長寸方向に２分割したうちの主孔側の約半分を中央の主孔とラップした状態で連続し、主孔側の流体と副孔側の流体との撹拌面積を増大させることができる。この撹拌面積の増大により、前記のように、気液混合流体の均質化を促進し、前記噴口からの噴霧を安定化し、その結果、液流量を大きく変動させても、噴霧角度、流量分布、打力分布の変動を抑制して、冷却ムラを発生しないノズルとすることができる。
【００１２】
なお、前記ノズル本体の主孔および副孔に流入する流体を液体のみとする一流体ノズルとして用いた場合も、前記二流体ノズルとする場合と同様に、前記主孔と副孔とのラップ部分の面積増大による撹拌の強化で、液滴を均質化して噴霧角度の変動を少なくでき、均等な流量分布と打力分布を得ることができる。
【００１３】
なお、前記長孔形状の副孔は断面長円形状または断面楕円形状としてもよい。
また、前記主孔を断面長円形状とし、該主孔の長辺側の両側に前記断面長円形状の副孔の長辺側を連通させてもよい。この場合、主孔の後端の短寸径に対して主孔の後端の長寸径は１：１〜１：２が好ましく、更に１：１〜１：１．４が好ましい。前記構成のノズルは、ノズル本体を断面長円形状とする必要がある場合に好適に用いられる。
【００１４】
前記構成からなる本発明のノズルは、圧縮空気の一定供給量に対する液体供給量を１：４０のターンダウン比の範囲内で変動しても、噴霧角度の変動角度を５度以下としている。
【００１５】
前記ターンダウン比は従来例の図９に示すノズルのターンダウン比が１：２０であるのに対して、本発明のノズルはターンダウン比を２倍大きくして１：４０としている。
このようにターンダウン比を大きくすることで、厚さが大きく相違する鋳片、二次冷却帯が長尺である場合等に、冷却温度を大幅に変える必要がある場合に好適に用いることができる。
【００１６】
前記ノズル本体を、整流板を設けた気液混合流体供給管の先端側に一体的または接続して設け、前記気液混合流体供給管の基端側に液体供給管と気体供給管とを直交方向に接続し、
前記整流板により前記ノズル本体の中心軸線と平行な分流路を設けていることが好ましい。
【００１７】
詳細には、前記ノズル本体を整流アダプタを介して直管状パイプからなる前記気液混合流体供給管と接続し、該気液混合流体供給管を混合アダプタに接続し、該混合アダプタに前記液体供給管と気体供給管とを直交方向に接続し、
前記整流アダプタの中心軸線を前記ノズル本体の中心軸線と一致させ、前記整流アダプタの中心軸線に沿った流路に、該中心軸線と平行な分流路に分離する整流板を介在していることが好ましい。
【００１８】
前記気体供給管から圧力空気、液体供給管から水を前記混合アダプタ内に直交方向から供給して衝突混合し、該混合アダプタから前記整流アダプタへ直管状のパイプからなる前記気液混合流体供給管を通して気液混合流体を流通し、前記整流アダプタ内で整流して前記ノズル本体内の主孔と両側の副孔にそれぞれ気液混合流体を流入させる構成としていることが好ましい。
【００１９】
前記のように、ノズル本体の上流側の流路に整流板を配置し、ノズル本体内へ流入する気液混合流体を整流化した後に、ノズル本体の噴口近傍で前記主孔と副孔とのラップにより撹拌している。このように、混合アダプタでの混合→整流板での整流→本体ノズル内での衝突混合による撹拌を順次行うことで、液滴の均質化をより促進することができる。
【００２０】
前記整流板は、整流アダプタの流路の内面から一体的に突設しても良いし、前記流路に挿入固定する別体でもよい。
該整流板は前記本体ノズルの噴口から３ｃｍ〜８ｃｍの位置に配置し、該整流板の長さは５ｍｍ〜３０ｍｍとし、１つの流入側流路を５〜１０個の分流路に区切る形状とすることがこのましい。
【００２１】
本発明のスプレーノズルは連続鋳造装置の二次冷却帯の鋳片冷却、厚板・薄板・メッキ鋼板等の鋼板冷却、シームレスパイプ等の鋼管冷却、圧延・熱処理後の制御冷却、鋼板の表面処理、アルミ板・ガラス板等の板材冷却、排ガス冷却用など広範囲に用いることができる。
また、本発明のスプレーノズルは、鋳片等の被冷却材の幅方向に間隔をあけて並列し、噴霧範囲の両側の流量が噴霧範囲の中央部の流量と同等となるようにラップさせて配置することが好ましい。
【発明の効果】
【００２２】
前記した本発明のスプレーノズルは、ノズル本体の主孔の両側に設ける副孔を断面長円形状とし、該両側の副孔の対向側の長辺側部分を主孔の両側にそれぞれ連続させているため、副孔と主孔とが重なるラップ部分の面積を増大できる。このラップ部分で、副孔から主孔に流入する気液混合流体と主孔内を噴口に向かって直進する気液混合流体とを衝突させて撹拌させることができる。其の際、副孔を従来の断面円形にした場合と比較して、副孔を断面長孔とすると主孔とのラップ部分の面積が増大し、撹拌量を増大して撹拌により気液混合流体の均質化を促進できる。よって、液体流量が大きく変動しても、前記撹拌による混合流体の均質化で、噴口から噴射される気液混合流体の噴霧角度の変動を少なくでき、均等な流量分布と打力分布を得ることができる。
【図面の簡単な説明】
【００２３】
【図１】本発明の第１実施形態のスプレーノズルを示し、（Ａ）は軸線方向に沿った断面図、（Ｂ）は（Ａ）のＢ−Ｂ線断面図、（Ｃ）は左側面図である。
【図２】（Ａ）は図１（Ａ）のＡ−Ａ線断面図、（Ｂ）は（Ａ）に示す主孔と副孔を比較して示す概略図、（Ｃ）は主孔と副孔が重なるラップ領域を示す図面、（Ｄ）は図１（Ａ）のＤ−Ｄ線断面図である。
【図３】整流板を示し、図１（Ａ）のＥ−Ｅ線断面図である。
【図４】（Ａ）〜（Ｃ）は前記スプレーノズルの作用を説明する断面図である。
【図５】実験結果を示す図面である。
【図６】（Ａ）は整流板の第１変形例を示す断面図、（Ｂ）は整流板の第２変形例を示す断面図、（Ｃ）は整流板の第３変形例を示す断面図である。
【図７】第２実施形態を示し、（Ａ）はノズル本体の断面図、（Ｂ）は主孔と副孔を示す概略図である。
【図８】（Ａ）（Ｂ）は第２実施形態の副孔の変形例を示す図面である。
【図９】（Ａ）〜（Ｃ）は従来例を示す図面である。
【発明を実施するための形態】
【００２４】
以下、本発明の実施形態を図面を参照して説明する。  
図１乃至図４に第１実施形態を示す。
該第１実施形態のスプレーノズル１０は連続鋳造装置の二次冷却帯に配置して、鋳片の上方から冷却用ミストを噴霧する二流体ノズルからなる。
【００２５】
スプレーノズル１０は、図１（Ａ）に示すように、ノズル本体１に整流アダプタ２、直管パイプからなる気液混合流体供給管３（以下、流体供給管３と略称する）、混合アダプタ４をそれらの中心軸線Ｘを一致させて順次接続して形成している。前記中心軸線Ｘに沿ったノズル本体１の主流路１ａ、整流アダプタ２の主流路２ａ、流体供給管３の主流路３ａ、混合アダプタ４の主流路４ａを連通している。混合アダプタ４の主流路４ａの後端開口４ｂに圧縮空気供給管５を接続し、該主流路４ａに液体供給管６を直角方向に接続している。
【００２６】
図１（Ｂ）に示すように、ノズル本体１の中心軸線Ｘに沿った主流路１ａの噴射側端の前端面１ｅの中心に主孔１１を連通して設けると共に、該主孔１１の幅方向の両側に一対の副孔１２、１３を主流路１ａおよび主孔１１と連通して設けている。
詳しくは、ノズル本体１は略円筒形状で、中空部を前記主流路１ａとし、該主流路１ａを断面円形としている。該断面円形の主流路１ａの前端面１ｅの中央部に断面円形の前記主孔１１を連続して設けると共に、その両側に断面長円形の前記副孔１２、１３を連続して設けている。
【００２７】
前記主孔１１は軸線方向の噴射側先端に向けて流路断面積を次第に減少する円錐状とすると共に先端を円弧状として先端円弧部１１ａを設け、該先端円弧部１１ａをノズル本体１の噴射側端面１ｓに近接させている。
前記一対の副孔１２、１３は中心軸線Ｘを挟んで対称形状とし、噴射側先端に先端円弧部１２ａ、１３ａを設け、これら先端円弧部１２ａ、１３ａの位置を主孔１１の先端円弧部１１ａの位置より噴射側端面１ｓから若干離した位置または同等の位置としている。即ち、主孔１１の先端円弧部１１ａより副孔１２、１３の先端円弧部１２ａ、１３ａを噴射側に突出させていない。
【００２８】
図１（Ｃ）に示すように、ノズル本体１の噴射側端面１ｓに直径方向に断面凹状とした切り込み１４を設けている。該切り込み１４の方向は前記副孔１２、１３の長辺方向Ｙ１と平行方向とし、かつ、該切り込み１４を中心に向けて深くなるテーパとしている。かつ、図１（Ｂ）に示すように、該切り込み１４の幅１４ｗは両側の副孔１２、１３と干渉しない幅とし、中央に位置する主孔１１の先端円弧部１１ａと干渉し、切り込み１４により先端円弧部１１ａだけを切り欠いて長円形の噴口１５を形成している。かつ、切り込み１４は外周側の両端に向けて幅方向を広げて、噴口１５の長さ方向の両端に噴射側端面の外周端に向けて次第に広がるガイド凹部１４ａ、１４ｂを延在させている。
【００２９】
副孔１２、１３は断面長円形状とし左右の副孔１２、１３の主孔側の長辺側部分は主孔１１の両側部と重なり、この重なり部分、即ち、図２（Ｃ）でクロス斜線で示すラップ部分Ｚ１、Ｚ２で連続した形状としている。主孔１１は前記のように、噴口１５に向けて細くなる円錐形状で且つ断面円形であり、最大面積となる後端、即ち、主流路１ａの前端面１ｅとの境界位置で主孔１１の外周を副孔１２、１３の中心点Ｙｏと一致させている。主孔１１を前端に向けて縮小する円錐形状としているため、前記ラップ部分Ｚ１、Ｚ２の断面積は噴射側前端にかけて次第に小さくなる。
【００３０】
前記主孔１１の後端径（Ｄ１）に対して副孔１２、１３の長寸径（Ｄ２）の比Ｄ１:Ｄ２＝１:０．７〜１:１.２としている。前記主孔１１は断面円形であるため、前記後端径（Ｄ１）は主孔１１の後端の直径である。
【００３１】
前記主孔１１の後端径Ｄ１に対して副孔１２、１３の短寸径Ｄ３の比は、Ｄ１:Ｄ３＝１:０.３〜１:０.７としている。
さらに、副孔１２、１３の短寸径Ｄ３に対する副孔１２、１３の長寸径Ｄ２の比は、
Ｄ３:Ｄ２＝１:１.５〜１:２.５としている。
主孔１１の後端径Ｄ１および副孔１２、１３の長寸径Ｄ２に対して、副孔１２、１３の短寸径Ｄ３を前記比の範囲に設定しているのは、副孔１２、１３への流入量を所要量に確保し、副孔１２、１３から主孔１１に流入して撹拌する量を所要量に確保するためである。副孔１２、１３の短寸径Ｄ３を前記範囲より小さくするとラップ面積が減少して撹拌効果が少なくなり、前記範囲より大きくすると、ノズル本体１が大型化する問題がある。
【００３２】
前記ノズル本体１の主流路１ａの後端開口１ｇに整流アダプタ２の前部挿入部２ｂを挿入し、螺合して連結している。該整流アダプタ２は円筒形状で中空部を主流路２ａとし、該主流路２ａの中間位置に整流板１８を介設している。
【００３３】
整流板１８は図３に示すように４個の小円筒１８ａ〜１８ｄを９０度間隔をあけて配置して連続した形状とし、これら小円筒１８ａ〜１８ｄを囲む仮想円の直径を主流路２ａの直径と同等としている。主流路２ａの周面に嵌合凹部２ｖを環状に凹設し、整流板１８の外周部分を嵌合凹部２ｖに圧入固定している、該整流板１８を主流路２ａに配置することで、中心軸線Ｘと平行な９個の分離流路２ｄを設けている。
【００３４】
前記整流板１８の長さＬ３は５ｍｍ〜３０ｍｍ、整流板１８の前端位置はノズル本体１の噴口１５から３ｃｍ〜６ｃｍの位置としている。
【００３５】
前記整流アダプタ２の後端開口に直管パイプからなる流体供給管３の前部挿入部３ｂを挿入し、螺合して連結している。
【００３６】
前記流体供給管３の後部に前記混合アダプタ４の前部挿入部４ｇを外嵌し、螺合して連結している。該混合アダプタ４の主流路４ａは略同径の主流路３ａと連通し、該主流路４ａの一側部に設けた開口に液体挿入管４ｃを直角方向から挿入固定し、該液体挿入管４ｃの先端開口４ｄに前記液体供給管６を連結している。前記液体挿入管４ｃに流路断面積を絞ったオリフィス４ｅを設け、主流路４ａに側方から圧力を高めた水を流入させるようにしている。
【００３７】
また、混合アダプタ４の主流路４ａの後端に小径流路４ｈを連続して設け、該小径流路４ｈに大径挿入穴４ｊを連続して設け、その後端開口４ｂに前記圧縮空気供給管５を挿入して連結している。
該混合アダプタ４では圧縮空気供給管５より小径流路４ｈをへて主流路４ａに圧力を高めた圧縮空気を流入させ、該圧縮空気に側方から圧力を高めた水を流入させて、衝突混合している。
【００３８】
前記圧縮空気供給管５はコンプレッサー（図示せず）から所要圧力とした空気を一定流量でスプレーノズル１０に供給している。
また、前記液体供給管６にはポンプ（図示せず）を介して所要圧力とした水をターンダウン比を１：４０の広範囲で調節した水量で供給している。
【００３９】
次に、本発明のスプレーノズル１０の作用を図４（Ａ）〜（Ｃ）を参照して説明する。  気体供給管となる圧縮空気供給管５から所要圧力とした圧力空気を、液体供給管６から水を混合アダプタ４内に直交方向から供給して衝突混合し、該混合アダプタ４から流体供給管３を介して整流アダプタ２へ水と空気を混合した気液混合流体ＡＱを流入し、整流アダプタ２内で整流板１８を通って整流化し、ノズル本体１内の主流路１ａに流入する。
主流路１ａの中央部の気液混合流体ＡＱ−ｃは主孔１１に流入し、両側の気液混合流体ＡＱ−ｓは両側の副孔１２、１３にそれぞれ流入する。
【００４０】
主孔１１の両側で副孔１２、１３の長辺側の約半分が重なり、該ラップ部分Ｚ１、Ｚ２で、副孔１２、１３に流入する気液混合流体ＡＱ−ｓは主孔１１に側方から流れ込み、主孔１１内の気液混合流体ＡＱ−ｃと衝突混合して、撹拌が生じる。この撹拌により気液混合流体ＡＱの均質化を促進する。
【００４１】
図４（Ｃ）に示すように、均質化された気液混合流体ＡＱは主孔１１の前端の長円形状の噴口１５より外方に噴射される。噴口１５は切り欠み１４の両側壁に挟まれ、噴口１５の長さ方向の両端にガイド凹部１４ａ、１４ｂが連続して延在するため、噴口１５から噴射された気液混合流体ＡＱはガイド凹部１４ａ、１４ｂに沿って両側方へ拡がる。これにより、スプレーノズル直下への流量を抑えて両側へ流量を多くし、流量が均一な範囲が長い台形状の噴霧パターンとなる。かつ、噴射される気液混合流体ＡＱ中の水滴は微粒化されて圧力空気と混合され、均質化された噴霧となっているため、液量を変えても圧力空気量を一定量とすると、前記噴霧パターンとなる噴霧角度は殆ど変動せず、噴霧範囲内での液量分布および打力分布を略均等にできる。
【００４２】
図５の表に前記実施形態のスプレーノズルを用いた実験結果を示す。
図５の表において、Ｐａ（空気圧）：ＭＰａ
Ｐｗ（液圧）  ：ＭＰａ
Ｑａ（空気量）：ＮＬ／ｍｉｎ
Ｑｗ（液量）  ：Ｌ／ｍｉｎ
Ｈ（ノズル直下からの測定位置）：ｍｍ
なお、表中の５０％噴角とは、流量分布が一番高い値を１００とし、それに対して５０％の比率の広がり寸法と、噴霧高さより三角関数で算出した角度を指す。
【００４３】
図５の表に示すように、空気量（Ｑａ）は一定の２００NL/minとし、液量（Ｑｗ）を１．０L/min→２．０L/min→１０．０L/min→２０．０L/min→３０．０L/min→４０．０L/minと変えても、５０％噴角は１１１°→１１１°→１１２°→１０９°→１１１°→１０９°と３度しか変動しなかった。また、流量分布および打力分布もほぼ均等であった。
【００４４】
このように、本発明のスプレーノズル１０は液流量制御範囲のターンダウン比を１：４０と広げることができ、従来の２倍のターンダウン比を得ることができる。そのため、鋳片の厚さ寸法の相違、スプレーノズルの設置領域、噴霧時間帯に応じて液流量を変えて対応させることができ、多品種小量生産の要請に答えることができる。
【００４５】
本発明は前記実施形態に限定されず、整流板は図６（Ａ）（Ｂ）（Ｃ）に示す変形例の構成としてもよい。
図６（Ａ）に示す第１変形例の整流板１８では、中心から８本の仕切板１８ｓを放射状に設けた形状、所謂、羽根タイプとしている。
図６（Ｂ）に示す第２変形例の整流板１８では、中央円筒部１８ｅの外周面から８本の仕切板１８ｆを等角度間隔で突出した形状、所謂ベーンタイプとしている。
図６（Ｃ）に示す第３変形例の整流板１８は、断面円形の本体１８ｉに９０度間隔をあけて４つの穴１８ｈを分離流路として設け、穴あけタイプとしている。該穴あけタイプとすると、分離流路をすべて断面円形にでき、隅部を発生させない利点がある。
【００４６】
図７（Ａ）（Ｂ）に第２実施形態のスプレーノズルを示す。
該第２実施形態のスプレーノズルでは、ノズル本体１の主流路１ａの前端に連通する主孔１１−２を断面長円形状とし、その長辺方向Ｙ１を両側の断面長円形状の副孔１２ー２、１３ー２の長辺方向Ｙ１と平行に配置し、短辺方向Ｙ２も平行に配置している。
【００４７】
前記主孔１１−２の後端の短辺方向Ｙ２の短寸径に対して長辺方向Ｙ１の長寸径は１：１〜１．２、好ましくは１：１〜１．４としている。
前記主孔１１−２の長辺側の両側部分に副孔１２−２、１３−２の対向する長辺側部が重なり、クロス斜線で示すラップ部分Ｚ１、Ｚ２を形成している。
他の構成および作用効果は第１実施形態と同様であるため、説明を省略する。
【００４８】
図８（Ａ）（Ｂ）に第２実施形態の副孔１２−２、１３−２の形状を変えた変形例を示す。主孔１１−２は前記第１実施形態と同様の断面円形としている。
図８（Ａ）では、両側の副孔１２−２、１３−２は、主孔１１−２と連続しない反対側の長辺１２ｓ、１３ｓを直線状ではなく外方へ円弧形状に膨出させ、両側の副孔１２−２、１３−２を断面略楕円形状としている。該形状とすると、副孔１２−２、１３−２から主孔１１−２へ側方から流入する流体量が増加でき、噴霧角度を大きくできる。
【００４９】
図８（Ｂ）では、両側の副孔１２−２、１３−２は、主孔１１−２と連続しない反対側の長辺を長さ方向中心に向けて内向き傾斜させ、各副孔１２−２、１３−２の外側長辺１２ｍ、１３ｍをそれぞれ瓢箪形状としている。該形状とすると副孔１２−２、１３−２から主孔１１−２へ側方から流入する流体量が減少でき、噴霧角度を小さくできる。
【００５０】
さらに、前記第１実施形態では混合アダプタを液体供給管と気体供給管に接続して、気液混合流体を噴霧する二流体ノズルとしているが、液体供給管のみ流体供給管３に接続し、整流アダプタ２を通して第１実施形態のノズル本体１に液体のみを流入させ、液体を微粒化して噴射する一流体ノズルとしてもよい。
さらに、ノズル本体に整流アダプタを介して連続する流体供給管は直管状ではなく、屈曲した曲げ配管でもよい。
【符号の説明】
【００５１】
１  ノズル本体
２  整流アダプタ
３  気液混合流体供給管
４  混合アダプタ
１ａ、２ａ、３ａ、４ａ  主流路
５  圧縮空気供給管
６  液体供給管
１０  スプレーノズル
１１  主孔
１２、１３  副孔
１４  切り込み
１４ａ、１４ｂ  ガイド凹部
１５  噴口
１８  整流板
Ｚ１、Ｚ２  ラップ部分  
Ｘ  中心軸線
【図１】
2016007602.tif 000003
【図２】
2016007602.tif 000004
【図３】
2016007602.tif 000005
【図４】
2016007602.tif 000006
【図５】
2016007602.tif 000007
【図６】
2016007602.tif 000008
【図７】
2016007602.tif 000009
【図８】
2016007602.tif 000010
【図９】
2016007602.tif 000011